Podtech/llm-jp-corpus-v4-ja_patent huggingface dataset:
(57)【要約】【課題】従来のオートバイ用バーハンドルは取り付け部分の付け根のみの調整で、角度、高さの調節ができず、高さを変えるには取り付け部分に別の部品を必要とし、角度を変えるには、別のハンドルに取り替える必要があった。【解決手段】▲２▼ハンドルＢをオートバイのトップブリッジ上にあるハンドルホルダー部に取付け、▲４▼ハンドルホルダーの取付け部を▲２▼ハンドルＢに差込み▲５▼締付ボルトで取付け、▲４▼ハンドルホルダーのもう一方の取付け部に▲３▼軸を差込み、▲５▼締付ボルトで取付け、▲３▼軸に別の▲４▼ハンドルホルダーを逆向きに差込み、▲５▼締付ボルトで取付け、逆向きの▲４▼ハンドルホルダーのもう一方の取付け部に▲１▼ハンドルＡを差込み、▲５▼締付ボルトで取付ける。【選択図】      図１
2005271899.tif 000002
【特許請求の範囲】
【請求項１】
▲２▼ハンドルＢをオートバイのトップブリッジ上にあるハンドルホルダー部に取付け▲４▼ハンドルホルダーの取付け部を▲２▼ハンドルＢに差込み▲５▼締付ボルトで取付け、▲４▼ハンドルホルダーのもう一方の取付け部に▲３▼軸を差込み、▲５▼締付ボルトで取付け、▲３▼軸に別の▲４▼ハンドルホルダーを逆向きに差込み、▲５▼締付ボルトで取付け、逆向きの▲４▼ハンドルホルダーのもう一方の取付け部に▲１▼ハンドルＡを差込み、▲５▼締付ボルトで取付ける。
【請求項２】
前記可変式ハンドルはバーハンドルタイプであることを特徴とする。
【発明の詳細な説明】
【技術分野】
【０００１】  この発明は、高さ、角度、人体との距離を簡単かつ自在に調節できるオートバイのハンドルに関するものである。
【背景技術】
【０００２】  従来のオートバイ用バーハンドルは、取り付け部分の付け根のみ調節できるものであった。
【発明の開示】
【発明が解決しようとする課題】
【０００３】  以上の技術によれば、ハンドルは取り付け部分の付け根のみの調整で、角度、高さの調節ができず、高さを変えるには取り付け部分に別の部品を必要とし、角度を変えるには、別のハンドルに取り替える必要があった。
そこで、この発明は、交換又は別の部品を必要とせず、調節できるハンドルを提供することを課題とする。
【課題を解決するための手段】
【０００４】  ▲２▼ハンドルＢをオートバイのトップブリッジ上にあるハンドルホルダー部に取付け▲４▼ハンドルホルダーの取付け部を▲２▼ハンドルＢに差込み▲５▼締付ボルトで取付け、▲４▼ハンドルホルダーのもう一方の取付け部に▲３▼軸を差込み、▲５▼締付ボルトで取付け、▲３▼軸に別の▲４▼ハンドルホルダーを逆向きに差込み、▲５▼締付ボルトで取付け、逆向きの▲４▼ハンドルホルダーのもう一方の取付け部に▲１▼ハンドルＡを差込み、▲５▼締付ボルトで取付ける。
この可変式ハンドルはバーハンドルタイプであることを特徴とする。
【発明の効果】
【０００５】  オートバイのトップブリッジ上にあるハンドルホルダーと▲２▼ハンドルＢで人体との距離を調節し、▲４▼ハンドルホルダー同士で垂れ角、上げ角、高さが調整でき、▲４▼ハンドルホルダーと▲１▼ハンドルＡで開き角、絞り角、垂れ角、上げ角が調整でき、▲４▼ハンドルホルダーを任意の位置に回転させることによって、広範囲に調節できる。またバーハンドルタイプのため、オートバイの元のシルエットを損なわない。
【発明を実施するための最良の形態】
【０００６】  この発明の実施形態を図１に示す。
▲２▼ハンドルＢをオートバイのトップブリッジ上にあるハンドルホルダー部に取付け▲４▼ハンドルホルダーの取付け部を▲２▼ハンドルＢに差込み▲５▼締付ボルトで取付け、▲４▼ハンドルホルダーのもう一方の取付け部に▲３▼軸を差込み、▲５▼締付ボルトで取付け、▲３▼軸に別の▲４▼ハンドルホルダーを逆向きに差込み、▲５▼締付ボルトで取付け、逆向きの▲４▼ハンドルホルダーのもう一方の取付け部に▲１▼ハンドルＡを差込み、▲５▼締付ボルトで取付ける。【０００７】「実施形態の効果」
オートバイのハンドルの角度、距離、高さを簡単かつ自在に調整できることにより、オートバイに乗る人の身長、体型、好みに合わせた適正な乗車姿勢を作り出すことで無理のない運転を可能とした極めて安全なオードバイハンドルである。
【図面の簡単な説明】
【０００８】
【図１】この発明の斜視図である。
【図２】この発明の一実施形態を示す斜視図である。
【符号の説明】
【０００９】▲１▼  ハンドルＡ
▲２▼  ハンドルＢ
▲３▼  軸
▲４▼  ハンドルホルダー
▲５▼  締付ボルト
【図１】
2005271899.tif 000003
【図２】
2005271899.tif 000004
(57)【要約】      （修正有）【課題】荷物が受用限度を超えても、別途のかごを付けなくても収納可能な自転車かごを提供する。【解決手段】ハジキ（バネ係止手段）をつけた外かご３に上下の面が開いている内かご２を設置し、荷物の量によって内かごを上下して外かごに係止し、収納スペースを広くした。また左右のハジキの下にもうひとつのハジキをつけることによって荷物の量にあわせた段階調節を可能にした。しかも上部のハジキにひっかかり及びおろしボタンをつけることによって内かごが盗まれるのを防げ、内かごを指一本で簡単におろすことを可能にした。３６０°回転できるフックをつけた外かごに上下の面が開いている内かごを設置することによって、内かごを上下して収納スペースを広くしても良い。また、内かごにフックをひっかける場所を二つつくることによっても荷物の量にあわせた段階調節を可能にできる。【選択図】図２
2005271891.tif 000002
【特許請求の範囲】
【請求項１】
ハジキをつけた外かごに、上下の面が開いている内かごを設置し、荷物の量によって内かごを上下してスペースを広くできる
【請求項２】
３６０°回転できるフックをつけた外かごに、上下の面が開いている内かごを設置し、荷物の量によって内かごを上下してスペースを広くできる
【発明の詳細な説明】
【技術分野】
【０００１】本発明は、内かごを上下することによってスペースを広くできる自転車かごに関する。
［背景技術］【０００２】今まではこういう発明はなかった。
［発明の開示］
［発明が解決しようとする課題］【０００３】今までの自転車かごは荷物が受用限度を超えると収納できず別途のかごを前か後ろに付けなければならなかった。【０００４】本発明は、このような従来の自転車かごが有していた問題を解決しようとするものであり、ひとつのかごで多量の荷物を収納できる自転車かごを実現することを目的とするものである。
［課題を解決するための手段］【０００５】そして、本発明は上記目的を達成するために、ハジキをつけた外かごに上下の面が開いている内かごを設置し、荷物の量によって内かごを上下してスペースを広くできるものである。【０００６】また、かごの左右のハジキの下にもうひとつのハジキをつけることによって荷物の量にあわせた段階調節を可能にしたものである。【０００７】もう一つの方法として外かごにフックをつける方法もある。
３６０°回転できるフックをつけた外かごに、上下の面が開いている内かごを設置することによって、内かごを上下してスペースを広くできる。【０００８】また、内かごにフックをひっかける場所を二つつくることによって、荷物の量にあわせた段階調節を可能にしたものである。
［発明の効果］【０００９】上述したように、本発明は多量の荷物をひとつのかごに収納できる。
また、荷物の量によって２段階に高さの調節ができる。
［発明を実施するための最良の形態］【００１０】上下して伸ばしたりもとに戻したりする形態
［実施例］【００１１】自転車用のかご、収納用かご
【図面の簡単な説明】
【００１２】［図１］
外かごと内かごのＰｅｒｓｐｅｃｔｉｖｅ  Ｄｅｔａｉｌ
［図２］
外かごから内かごを持ち上げた時のＰｅｒｓｐｅｃｔｉｖｅ
［図３］
外かごと内かごのＦｒｏｎｔ  Ｖｉｅｗ
［図４］
外かごに内かごがはまった時の  Ｓｅｃｔｉｏｎ
［図５］
ハジキの  Ｓｅｃｔｉｏｎ  Ｄｅｔａｉｌ
［図６］
フックをつけた外かごに内かごがはまった時のＳｅｃｔｉｏｎ  Ｄｅｔａｉｌ
［図７］
内かごを持ち上げる時のフックの回転を示すＳｅｃｔｉｏｎ  Ｄｅｔａｉｌ
［図８］
３６０°回転してもとに戻ったフックに内かごをおろしてひっかからせた時のＳｅｃｔｉｏｎ  Ｄｅｔａｉｌ
【符号の説明】
【００１３】１    ハジキ
２    内かご
３    外かご
４    ハジキのひっかかり及びおろしボタン
５    フック
【図１】
2005271891.tif 000003
【図２】
2005271891.tif 000004
【図３】
2005271891.tif 000005
【図４】
2005271891.tif 000006
【図５】
2005271891.tif 000007
【図６】
2005271891.tif 000008
【図７】
2005271891.tif 000009
【図８】
2005271891.tif 000010
(57)【要約】【課題】      この発明は自動車の盗難防止警報装置に関するものである。【解決手段】  従来の自動車の半ドアー警報回路の接点（１）と同じように作動する、電源を別にする警報器、接点（２）を設ける。  その接点（２）は閉となった後時限を持って開となるようにタイムリレー接点とする。  其の次に接点（３）を設ける、接点（３）はドアーのリモコン、キーでドアーを閉めれば接点（３）も閉となり、リモコン、キーでドアーを開ければ接点（３）も開と成るリモコン作動接点とする。  接点（３）の次に警報器（５）を設け次にアース（６）を取る。  ゆえにリモコンキーでドアーをロックすれば、合鍵、ピッキング、鍵を壊す、ガラスを割る、等をしてドアーを開ければ警報器が作動し、すぐにドアーをすぐに閉めても、設定時間、警報器が作動し、警報器が鳴り止んでも、又ドアーを開ければ又警報器が鳴るようにしたものである。【特許請求の範囲】
【請求項１】
従来の半ドアー警報、接点（１）と同じように作動する、電源を別に持つタイムリレー、接点（２）を設け、次に接点（３）を設け、次に警報器（５）を設け、次にアース（６）を設けた警報装置
【請求項２】
接点（３）はドアーの鍵をリモコンキーで閉めれば、閉となり、リモコンキーでドアーを開ければ、接点（３）も開となるように、リモコン作動接点を設けた警報装置。
【発明の詳細な説明】
【発明の詳細な説明】
【技術分野】
【０００１】    この発明は自動車のドアーを合鍵、ピッキング、窓ガラスを割る等をしてドアーを開けると警報器が作動して警報を発する装置に関するものである。
【背景技術】
【０００２】    従来自動車の盗難防止警報装置は、単独で取り付ける為、警報装置の合鍵とドアーの合鍵と２つを、操作しなければならなかた。
【発明が解決しようとする課題】
【０００３】    本発明は、こうした煩わしさをなくする為に発明されたものである。
【課題を解決する為の手段】
【０００４】    いま、その構成を説明すると。
（イ）  第２図の如く、従来の半ドアー警報回路の、接点（１）と同じように作動する、電源を別にした、タイムリレー接点（２）を設ける、此の接点（２）は、接点（（１）が、開になっても、時限を持って開となるように設ける、
（ロ）  その次にドアーの開閉に使う、リモコン、キーで動作する、接点（３）を設ける。
（ハ）  接点（３）は、リモコン、キーでドアーをロックすると閉と成り、リモコン、キーで、ドアー、ロックを解除すれば開と成るように設ける。
（ニ）  接点（３）の次に警報器（５）を設け、次にアース（６）を設ける。
【実施例】
【０００５】    （１）警報器（３）は、ホーンを兼用又は代用しでも良い。
（２）警報器（３）と同時に警報ランプを点灯させてもよい。
（３）各ドアーを警報器が作動するように第３図の様に配線を設てもよい。
【発明の効果】
【０００６】  ゆえに此の発明はドアーをリモコンキーでロックすれば、警報装置回路が形成し、合鍵、ピッキング、錠を壊す、窓ガラスを割る等をしてドアーを開ければ警報器が作動し、ドアーを開けてる間は鳴り続け、すぐにドアーを閉めても時限を持って警報器は作動し続け、鳴り終わっても、又ドアーを開ければ、又鳴る様にしたものである。
又、振動で作動したり、一寸触っただけで作動したりすることも無い。
(57)【要約】【課題】  自動車の座席から離れる時に、人体に帯電した静電気を自動的に取り除く、自動車の静電気除去座布団を提供する。【解決手段】  天然繊維製カバーで覆った座布団内部に導電性のワイヤーを設け、ワイヤーに電気線を接続し、電気線にネオン球及びクリップを設け、人体と自動車体との接触、摩擦により発生した静電気による電圧を利用してネオン球を発光させ、人体に帯電した静電気を除去することを特徴とする自動車の静電気除去座布団。【選択図】  図１
2005271897.tif 000002
【特許請求の範囲】
【請求項１】
天然繊維製カバーで覆った座布団内部に導電性のワイヤーを設け、ワイヤーに電気線を接続し、電気線にネオン球及びクリップを設け、人体と自動車体との静電気により発生した電圧を利用してネオン球を発光させ、人体に帯電した静電気を除去することを特徴とする自動車の静電気除去座布団。
【発明の詳細な説明】
【技術分野】
【０００１】  本発明は、自動車の座席から離れる時に、人体に帯電した静電気を自動的に取り除く、自動車の静電気除去座布団に関するものである。
【背景技術】
【０００２】  従来、自動車の座席から離れた直後は座席と衣類の摩擦により人体に静電気が帯電し、人体が自動車体や玄関ドアなどの金属部と接触した際に「バチッ」という音と共に激痛を感じる。
人体に帯電した静電気は、キーホルダー型の除去具や金属棒の先端を自動車体や玄関ドアなどの金属部に接触させる方法で除去していた。
また座席上に敷いたマットと自動車体とをアース線にて同電位にすることで静電気の帯電を防止する方法も知られている。
【発明の開示】
【発明が解決しようとする課題】
【０００３】  そのために、次のような問題点があった。
キーホルダー型の除去具や金属棒を用いる場合、手に持って除去を行う必要があり、わずらわしさがあった。また帯電量によっては手に直接放電することもある。
また座席上に敷いたマットと自動車体とをアース線にて同電位にする方法の場合、車体へのアース線の脱着にわずらわしさがあった。さらに自動車の座席と車体が同電位であるため、人体に静電気が滞留したままマットに触れると「バチッ」という音と共に激痛を感じることがある。
本発明は以上の問題点を解決しようとするものである。
【課題を解決するための手段】
【０００４】  天然繊維製カバーで覆った座布団内部に導電性のワイヤーを設け、ワイヤーに電気線を接続し、電気線にネオン球及びクリップを設ける。そして、人体と自動車体との静電気により発生した電圧を利用してネオン球を発光させ、人体に帯電した静電気を除去する。以上を特徴とする自動車の静電気除去座布団である。
【発明の効果】
【０００５】  本発明は、自動車の座席と衣類の摩擦により人体に帯電した静電気を自動的に除去する。したがって、静電気除去具使用による静電気除去のわずらわしさがない。
またクリップを用いることで、アース線の脱着が容易にできるようになった。
【発明を実施するための最良の形態】
【０００６】  以下、本発明の実施の形態を説明する。
（イ）導電性のワイヤー（２）とクッション材（３）を、天然素材でできたカバーで覆った座布団本体（１）を形成する。ワイヤーは座り心地が良い様、細いものを使用する。
（ロ）ワイヤー（２）に電気線（４）を接続する。
（ハ）電気線（４）にクリップを設ける。図４は本発明の構成におけるこのクリップ部を示すものであるが、（ａ）はその正面視であり、（ｂ）はその側面視による透視図である。即ち（ａ）全体は指で上部をつまむ動作によって下部が開放し、その指を緩めることでバネ力によって対象に係止されるバネクリップを表しており、その中間に介在するのがネオン球（５）で、その下には金属プレート（７）が設けられている。また（ｂ）において、金属プレート（７）は図の下方向に押し戻すバネ構造となっている。
本発明は、以上の構成よりなっている。
これを使用する時は、上記の静電気除去座布団を自動車の座席（８）に敷き、クリップを座席前後移動用金属レバー又は自動車体（９）に取付ける。なお金属プレート（７）はバネ構造のため、座席前後移動用金属レバー又は自動車体（９）と常に接触し、さらにその径の大小に関係なく対応できる構造となっている。
次に座席（８）に座った人が降車する場合について説明する。通常の降車時、最初の動作として背中と座席の背もたれ部分が離れる。このとき座席と衣類の摩擦により人体に静電気が帯電するが、人体と座布団本体（１）は接しているため、人体と自動車体との静電気により電圧が発生する。しかし瞬時にネオン球（５）が発光し、人体に帯電した静電気は放電される。つまり背中と座席の背もたれ部分が離れた状態においては，人体への静電気の帯電はほとんどない。
次の動作として地面に足を下ろして立ち上がるが、このとき人体が座布団本体（１）と離れる。しかし座布団本体（１）の表面素材は天然繊維でできているため、衣類との摩擦による人体への静電気帯電量は少ない。またこの瞬間にも上記同様ネオン球（５）が発光し、静電気は放電される。つまり地面に足を下ろして立ち上がった状態においても、人体への静電気の帯電はほとんどない。
ゆえに、降車後の人体には静電気はほとんど帯電していない。
また、より多くの静電気を除去したい時は座布団本体（１）に手を触れながら降車する、あるいは降車後に手で座布団本体（１）を触れるようにする。この場合、人体に静電気が帯電した状態で座布団本体（１）に触れても、ネオン球で放電するため手に痛みは感じない。
以上のことにより、降車後に自動車体や玄関のドアなど金属部と接触しても痛みを感じない。
またワイヤー（２）は通常の使用条件下で塑性変形しないため、座布団本体（１）の外観形状は損なわれない。
【図面の簡単な説明】
【０００７】
【図１】本発明の正面図
【図２】本発明の使用状態を示す側面図
【図３】本発明の使用状態を示す上面図
【図４】本発明の構成中
【符号の説明】
【０００８】  １座布団本体          ２ワイヤー              ３クッション材          ４電気線
５ネオン球            ６クリップ本体          ７金属プレート          ８座席
９座席前後移動用金属レバー又は自動車体
【図１】
2005271897.tif 000003
【図２】
2005271897.tif 000004
【図３】
2005271897.tif 000005
【図４】
2005271897.tif 000006
(57)【要約】【課題】解決しようとする問題点はサウナ風呂の浴室内にマイナスイオン発生装置を具備した入浴槽と岩塩を照明器具の笠に加工した岩塩照明器具を、個別の物と考え、それぞれに設置していた点である。【解決手段】上記目的を解決するために、本発明の岩塩を内装貼りしたサウナ風呂は、サウナ装置（ｄ）を具備した建物（Ａ）の内壁面に下地桟（３）を固着し採石された自然の岩塩を板状に加工した岩塩パネル（１）を該下地桟に貼り渡しし、該内壁面  と該岩塩パネルとの隙間に熱光源（２）を設置する。入浴者は浴室に入り、リラックスする姿勢で適時過ごすを成るをもって課題を解決するための手段とする。【選択図】  図１
2005194861.tif 000002
【特許請求の範囲】
【請求項１】
温風サウナ装置（ｄ）を具備した建物（Ａ）の断熱処理を施した天井（ａ）と断熱処理を施した壁（ｂ）と断熱処理を施した床（ｃ）のすなわち断熱処理を施した内壁面に適切な高さ、巾の下地桟（３）を適切な間隔で固着し、その固着面の対面上に岩塩パネル（１）を貼り渡し、すなわち内装面を形成するを成し、また、該下地桟により該断熱処理を施した該内装面と該岩塩パネルの間にできた隙間に該岩塩パネルに有効に光が照射出来る方向を向いた熱光源（２）を適数量、設置するを成し、該岩塩パネル全面より、通電された該熱光源より光波長、光粒子、熱線の刺激を受け高密度のマイナスイオン、遠赤外線、特定波長の透過光が、該岩塩パネルで囲われた浴室内に照射し、結果、入浴者に新陳代謝の活性化、癒しの効果、老化防止の効果、疲労回復効果をもたらすことを特徴とする岩塩を内装貼りしたサウナ風呂である。
【発明の詳細な説明】
【技術分野】
【０００１】本発明は岩塩サウナ風呂に係わるもので、特に高密度のマイナスイオンと岩塩透過光による癒しの効果を得る、岩塩を内装貼りしたサウナ風呂に関する。
【背景技術】
【０００２】サウナ風呂に入る目的は温浴、蒸気浴、温風浴、遠赤外線浴、薬湯浴などによる発汗作用による新陳代謝の活性化による心身のリフレッシュであるが、それに加えてマイナスイオンによる解毒、疲労回復、癒しの効果が注目されて居る。特に岩塩に熱、光の刺激がマイナスイオンの放散に有効で岩塩サウナ風呂として利用されている。又、岩塩を透過した光は特殊波長を有し、癒しの効果も有るため、岩塩を笠に使った照明器具として浴室内に設置さている。【０００３】岩塩サウナ風呂は浴室内の床面にマイナスイオン発生装置を具備した入浴槽を設置し入浴者はその浴槽に入り、マイナスイオン効果を得ている。【０００４】しかし、マイナスイオン発生装置を具備した入浴槽は大勢の人が入浴する場合物理的に大きくするか、槽を多数設置する必要が有り浴室の床面積を広くとらなければならず、コストがかかる欠点が有った。【０００５】又、岩塩照明器具の笠からの特殊波長の透過光は癒しの効果が有り、絶えず視界に入るとその効果は高くなる。【０００６】しかし、岩塩照明器具はその加工上大きくは出来ないため、床に置いたり壁に取り付けたりしていが、人影や内装品の  陰に隠れて見えない欠点が有りその問題を補うため多数個設置する必要が有った。【０００７】しかも、岩塩照明器具は浴室内に設置するため電線の引き回しと、防水処置をする必要が有り、手間とコストがかかる欠点が有った。
【発明の開示】
【発明が解決しようとする課題】
【０００８】解決しようとする問題点はサウナ風呂の浴室内にマイナスイオン発生装置を具備した入浴槽と岩塩を照明器具の笠に加工した岩塩照明器具を、個別の物と考え、それぞれに設置していた点である。
【課題を解決するための手段】
【０００９】本発明は、マイナスイオン発生装置付き入浴槽や岩塩照明器具の岩塩部分を岩塩パネルにし、浴室内に内装貼りが出来、且つ、熱光源が設置出来るようにすることを特徴としている。
【発明の効果】
【００１０】本発明の岩塩を内装貼りしたサウナ風呂は、入室するだけで一度に大勢の人がマイナスイオンと遠赤外線効果を得ることが出来き、又、内装面全面より特殊波長の透過光が照射されるため浴室内のどの位置に居てもその効果を得ることが出来る利点がある。
【発明を実施するための最良の形態】
【００１１】岩塩サウナ風呂におけるマイナスイオン効果、岩塩透過光による癒しの効果をローコストで設置工事の短期化を実現した。
【実施例１】
【００１２】本発明は温風サウナ装置（ｄ）を具備した建物（Ａ）の断熱処理を施した天井（ａ）と断熱処理を施した壁（ｂ）と断熱処理を施した床（ｃ）のすなわち断熱処理を施した内壁面に適切な高さ、巾の下地桟（３）を適切な間隔で固着し、その固着面の対面上に岩塩パネル（１）を貼り渡し、すなわち内装面を形成するを成し、また、該下地桟により該断熱処理を施した該内壁面と該岩塩パネルの間にできた隙間に該岩塩パネルに有効に光が照射出来る方向を向いた熱光源（２）を適数量設置するを成す。
【産業上利用可能性】
【００１３】建物の代わりに適切な大きさの箱の内部に具備し小型化すれば個人住宅やリハリビ施設、瞑想ルーム等のリラックス効果、リフレッシュ効果、癒しの効果を必要とする施設の用途にもも容易に利用できる。
【図面の簡単な説明】
【００１４】
【図１】サウナ装置を具備した岩塩パネルを内装貼りしたサウナ風呂の断面斜視図で有る。
【図２】内装面と熱光源と下地桟と岩塩パネルの詳細図で有る。
【符号の説明】
【００１６】Ａ  建物
ａ  断熱処理した天井
ｂ  断熱処理した壁
ｃ  断熱処理した床
ｄ  温風サウナ装置
１  岩塩パネル
２  熱光源
３  下地桟
【図１】
2005194861.tif 000003
【図２】
2005194861.tif 000004
(57)【要約】【課題】柱筋および壁筋用鋼線スペーサーの形状を生産性の良いものに改良して製造原価を低減し尚且つ鉄筋に堅固に定着される形状とする。【解決手段】１本の鋼線を独創的な形状にプレス加工する。【選択図】  図１
2005194851.tif 000002
【特許請求の範囲】
【請求項１】
柱筋および壁筋のかぶりを確定するための特徴的な形状を有する金物。
【発明の詳細な説明】
【技術分野】
【０００１】  本発明は、鉄筋コンクリート造の建築物に関する。かかる建築物における柱および壁の施工に際して使用する鉄筋は、コンクリート外面より所定の深さに埋設されていければならない。
この深さの数値を「かぶり」と称し、「かぶり」を確保することを目的として鉄筋に設置する金物類をスペーサーと称する。本発明は、このスペーサーに関する。
【背景技術】
【０００２】  従来、柱および壁用のスペーサーとしては鋼線をプレス加工したもの、ピアノ線をホーミング加工したもの、モルタルにホーミング加工を施したピアノ線を固定したもの、プラスチック製でドーナツ状をしたものなど種々多彩であるが、例えば鋼線を使用したスペーサーは形状が複雑な割に鉄筋に対する定着性が不十分なため、鉄筋に取り付けた後の作業中にしばしば転落する。ピアノ線をホーミング加工したものも同様の理由でしばしば鉄筋から転落する。またプラスチック製のものは主として形状的な理由で強度が充分でないためしばしば変形し、所定のかぶりが得られない。このようにそれぞれのスペーサーが多少の問題をかかえており改良すべき点がある。
【発明の開示】
【発明が解決しようとする課題】
【０００３】  製造原価を低減しより安価な商品としてのスペーサーを市場に提供する。また一度鉄筋に取り付けたら堅固に定着し、転落することなくかつ充分な強度を有するスペーサーを提供する。
【課題を解決するための手段】
【０００４】  本発明者は鋭意研究した結果、鉄筋に堅固に定着し尚且つ正確なかぶりを確保することのできる鋼線スペーサーを安価で造ることに成功した。このスペーサーは、一本の鋼線をプレス加工により論理的かつ独創的な形状にすることで完成した。【０００５】  以下、本発明を図に従い、詳しく説明する。
図１は本発明による金物を主筋とフープ筋との交差部に取り付けたときのイメージ図である。ここで符号１は本発明による金物本体、符号２は主筋、符号３はフープ筋、符号４は合成樹脂製のキャップでありこの部分が型枠と接して鉄筋のかぶりを確定する。図２は図１の上面図で符号５は鉄筋と型枠との間隔すなわちかぶりである。同じく符号６は本金物が鉄筋に堅固に定着する所以となる部分である。すなわち本金物の材料である鋼線はピアノ線ほどには弾力性がないので鋼線をその弾性限度内で使用して若干の変形に対しての復元力を確保するためにはある程度の長さが必要なので符号３のフープ筋に対して直角でなく傾斜させてある。
図３は図１の側面図でやはり符号６の部分がフープ筋の接線として最短距離で主筋に至るように水平ではなく若干傾斜している。これにより本金物の縦方向の振れを完全に防止できる。
【発明の効果】
【０００６】  従来の柱筋および壁筋用スペーサーの生産性は、作業者１人当たりで１日に８００〜１０００個であったが、本発明によるスペーサーは同一条件において３０００個以上であった。また製品１個当りの重量は２０ｇで従来の鋼線スペーサーの１／５であり大幅な製造原価の低減が達成された。また試験を行なった１６個の本発明によるスペーサーはすべて鉄筋から転落することもなく使用され、優れた性能を有していることが確認できた。
【実施例】
【０００７】  線径５ｍｍの鋼線を使用して上述のごときの形状を有する本発明によるスペーサーを製作し、これを柱の断面形状が８００×８００ｍｍで直径２９ｍｍの主筋と直径１３ｍｍのフープ筋とにより構成されたかぶり５０ｍｍの鉄筋コンクリート造の柱において水平方向には５００ｍｍのピッチでまた鉛直方向には２０００ｍｍのピッチで取り付けた。この状態で型枠の取り付け等コンクリート打設前の一連の作業を行ったが、その結果試験品は変形もなくまた転落することもないことがないことが確認された。
【図面の簡単な説明】
【０００８】
【図１】  本発明による金物本体のイメージ図。
【図２】  図１の上面図。
【図３】  図１の側面図。
【符号の説明】
【０００９】  １，本発明による金物本体
２，主筋
３，フープ筋
４，合成樹脂製のキャップ
５，かぶりの寸法
６，フープ筋から接線方向に伸びて主筋に引っかかる本金物の一部分
【図１】
2005194851.tif 000003
【図２】
2005194851.tif 000004
【図３】
2005194851.tif 000005
(57)【要約】【課題】  型枠固定用連結ボルトの長ネジ調節に使用される金物に於いて、長さ調節をした後の共回り防止を容易に出来るようにする。【解決手段】  円筒状の両端を絞り加工し雌ネジ部１ａ  １ｂを施された金具本体１の一端に、外側に折り曲げた上方部３ａを設けた廻り止め本体部３を固定し、上方部３ａを叩く事により、ハの字形の切り欠き部３ｂがボルト軸方向に押し出され、その押し出されたハの字形の切り欠き部３ｂが螺合されたボルト２の螺子山２ａに挟むように食い込みボルトの回転を阻止する。【選択図】    「図１」
2005194860.tif 000002
【特許請求の範囲】
全螺子部を持ったボルトを螺合しうる雌ネジ部を両端に施された円筒状の金具の一端に、ボルト軸線上よりボルト長螺子が螺合出来得る間隔を存じさせ、その上端部をボルト軸線上より外側に折り曲げた上方部を設けた廻り止め本体部を固定し、且つ廻り止め本体部にハの字状に切り欠いた部分を設ける。
前記廻り止め本体部の上方部を下方に叩く事により、ハの字形の切り欠き部がボルト軸方向に押し出され、螺合されたボルトの螺子山を挟むように食い込ませる事によりボルトの回転を阻止する事を特徴とする型枠固定用連結ボルトの長ネジ調節に使用される金物の構造。
【発明の詳細な説明】
【発明の詳細な説明】
【技術分野】
【０００１】  この発明は、型枠固定用連結ボルトの長ネジ調節に使用される金物の共回り防止に関するものである。
【背景技術】
【０００２】  従来、セパレーターの片側を山止め壁から取る場合、アンカー、溶接等で調節金具を固定し、セパレーターの長螺子で出入り調節し、その出入りを固定する為にナットもしくは溶接を用いてその回転を固定していた。他に回転を固定するこの種の金物としては、頭部に板状のものを設けクサビ等の効果で目的を達成使用とする物等が考案されている。
【発明が解決しようとする課題】
【０００３】  しかしながら、従来の様に、ナットもしくは溶接を用いてその回転を固定するのでは、手間がかかるうえに、手の届かない場合は不可能である。
【課題を解決するための手段】
【０００４】  上記の課題を解決する為、両端に雌ネジ部を施された円筒状の金具の一端に、ボルト軸線上よりボルト長螺子が螺合出来得る間隔を存じさせ、その上端部をボルト軸線上より外側に折り曲げた上方部を設けた廻り止め本体部を固定し、且つ廻り止め本体部にハの字状に切り欠いた部分を設ける。
前記廻り止め本体部の上方部を下方に叩く事により、ハの字形の切り欠き部がボルト軸方向に押し出され、螺合されたボルトの螺子山を挟むように食い込ませる事によりボルトの回転を阻止する様にしたものである。
【０００５】  しかも廻り止めを構成している部分は、円筒状の金具本体の軸中心線より一方向部にあり、本金物を保持する治具は、円筒状の一部を欠いた形状の物で容易に作ることが出来る。
【発明を実施するための最良の形態】
【０００６】  以下、この発明の実施形態を添付図面に基づいて詳述する。図１は本発明の例の斜視図であり、円筒状の両端を絞り加工し雌ネジ部１ａ．１ｂを施された金具本体１の一端に、ボルト２軸線上よりボルト長螺子２ａが螺合出来得る間隔を存じさせ、本体１軸線上より外側に折り曲げた上方部３ａを設けた廻り止め本体部３を固定し、且つ廻り止め本体部３にハの字状に切り欠いた部分３ｂを設ける。
前記廻り止め本体部３の上方部３ａを下方に叩く事により、ハの字形の切り欠き部３ｂがボルト軸方向に押し出され、その押し出されたハの字形の切り欠き部３ｂを螺合されたボルトの螺子山２ａに挟むように食い込ませる事によりボルト２の回転を阻止する様にしたものである。【０００７】  しかも廻り止めを構成している部分は、円筒状の金具本体１の軸中心線より一方向部にあり、本金物を保持する治具は、円筒状の一部を欠いた形状の物で容易に作ることが出来る。
【実施例】  図３は本発明の使用例であり、建築において、地下山止め壁４に接してコンクリート壁５を構築する場合、以下の手順で行われる。山止め壁６に固着されたアンカーボルトやスタッドボルト６に本発明の金物１を取り付け、鉄筋９を配置した後、長ネジを持った型枠固定用連結ボルト７にて長さ調節をし、廻り止め本体部３の上方部３ａを下方に叩く事により、型枠固定用連結ボルト７の回転を固定し、型枠８を取り付ける、その後生コンを打設しコンクリート壁５を構築したものである。
【発明の効果】
【０００８】  上記使用例において、型枠固定用連結ボルト７を取り付ける前に、鉄筋９を山止め壁４と型枠８との間に配置する。その後型枠固定用連結ボルト７を長さ調節をし取り付けた後、ナットもしくは溶接などで固定するには、手前の鉄筋９が邪魔になり困難であった。しかし本発明の金物は長さ調節をし取り付けた後、さん木等で廻り止め本体部３の上方部３ａを叩く事により、容易に型枠固定用連結ボルト７の回転を固定出来る。
【図面の簡単な説明】
【図１】本発明の一実施例を示す斜視図である。
【図２】同じく本発明の断面図である。
【図３】本発明の一使用例を示す側面図である。
【符号の説明】
１                      金具本体
１ａ  １ｂ              雌ネジ部
２                      ボルト
２ａ                    ボルト長螺子部
３                      廻り止め本体部
３ａ                    上方部
３ｂ                    ハの字形の切り欠き部
４                      地下山止め壁
５                      コンクリート壁
６                      アンカーボルトやスタッドボルト
７                      型枠固定用連結ボルト
８                      型枠
９                      鉄筋
【図１】
2005194860.tif 000003
【図２】
2005194860.tif 000004
【図３】
2005194860.tif 000005
(57)【要約】【課題】大小便の後で局部を温水で洗浄する和式便器。局部に温水を噴射して洗浄すると言うよりも４本のノズルから噴射した温水の描く四角推状の噴射水の頂点に肛門又は局部を近づけて洗浄することに重点をおいた発明である。【解決手段】温水の噴射するノズルを取り付けた和式便器で噴射させた温水が飛散しないように工夫したものである。【選択図】図１
2005194858.tif 000002
【特許請求の範囲】
【請求項１】
和式便器に温水を噴射するノズルを備えたものであり大小便後の局部を洗浄することが出来る。
【請求項２】
噴射する温水が和式便器の中心線上の一点に集中してノズルから噴射する温水が必要以上に飛び散らないように工夫したものである。
【請求項３】
局部に温水を噴射して洗浄すると言うよりも４本のノズルから噴射した温水の描く４角推状の噴射水の頂点に局部を近づけて洗浄することに重点を置いた発明である。
【発明の詳細な説明】
【発明の詳細な説明】
【技術分野】
【０００１】（イ）和式便器の左右に２本ずつ取り付けたノズルから噴射する４本の温水が便器の中心線上の一点に集中する。
（ロ）対角線上の２対のノズルから噴射する温水は上面から見た場合１８０度の角度で真正面からぶつかる。
（ハ）４本のノズルから噴射する温水は側面から見た場合、その放射線の形状は四角錐になる。
（ニ）噴射水の強弱はダイヤル又はレバーで調節する。
（ホ）噴射水の温度の調節はダイヤル又はレバーで調節する。
（ヘ）噴射ノズルはパーツとして取り替えることが出来る。
（ト）大小便の始末は従来どおりに紙巻器により紙で局部を拭く。
（チ）大小便の排除は従来どおりに水洗タンクの水で流す。
【発明が解決しようとする課題】
【０００２】（イ）従来どおりの和式便器で温水による大小便とビデ洗浄を可能にしたものである。
（ロ）便器を跨いだ時に便座式の便器よりも足と尻が開くので肛門の奥まで洗浄しやすくなる。
（ハ）紙巻器の紙で尻や局部のシブキを自分の手で拭くので拭き残しがなくて精神的に安心出来る。
（ニ）大便や小便の形状や色、匂い等を自分の目で見ることが出来るので胃ガン、潰瘍、糖尿病等による血便、血尿、糖尿等で自分の健康状態を病気が悪化する前にある程度知ることが出来る。
（ホ）他人の肌が触れた便座に自分の肌が触れる事がないので清潔感がする。
（ヘ）便座式の便器に比べると非常に安価であり設置しやすい。
【発明の効果】
【０００３】（イ）便器に跨がった時に便座式よりも足が開き尻が開くので肛門の奥まで洗浄しやすい。
（ロ）便座式に比べると局部や尻に付いた汚れやシブキ等を拭き易い。
（ハ）大小便の形状や色、匂い等で自分の健康度をチェックすることが出来る。
（ニ）他人の肌が触れた便座に自分の肌が接触することがないので不潔感がない。
（ホ）構造が簡単なので設置費用が安価である。
（ヘ）痔の治療がしやすくなり又、痔の予防が出来る。
【図面の簡単な説明】
【図１】本発明の上面図
【図２】本発明の正面図（断面）
【図３】本発明の側面図（断面）
【符号の説明】
１は温水噴射ノズル  ２は噴射温水  ３は排水口、４は便器の前かくし部
【図１】
2005194858.tif 000003
【図２】
2005194858.tif 000004
【図３】
2005194858.tif 000005
(57)【要約】【課題】  敷居における段差は、高齢者のつまずきを誘発したり、車イスでの横断時にがたつきを感じさせ、不安定なものにしていた。【解決手段】  ふすまもしくは障子に収納可能なバリアフリー・ベルトによって、敷居の段差を埋め、高齢者のつまずきのきっかけをなくし、車イスでの横断時にもがたつきを感じさせない。【選択図】          図１
2005194855.tif 000002
【特許請求の範囲】
【請求項１】
ベルトにつながれた滑車と、戸の開け閉めに応じて敷居の溝に沿って出てくるバリアフリー・ベルトからなる敷居溝段差解消器具。
【請求項２】
ベルト５とベルト６につながれた滑車Ａと滑車Ｂと滑車Ｄと、ベルト５につながれて、戸の開け閉めに応じて敷居の溝に沿って出てくるバリアフリー・ベルト１０からなる敷居溝段差解消器具。
【請求項３】
ベルト５とベルト６につながれた滑車Ａと滑車Ｂと滑車Ｄと、ベルト５につながれて、戸の開け閉めに応じて敷居の溝に沿って出てくるバリアフリー・ベルト１０からなる敷居溝段差解消器具で戸の桟に取り付け可能なもの。
【発明の詳細な説明】
【技術分野】
【０００１】  本発明は敷居における溝段差解消に関するものである。
【背景技術】
【０００２】  従来の敷居は、ふすま戸や障子戸を移動させるための溝があるがゆえに段差となっていた。
【発明が解決しようとする課題】
【０００３】  従来の敷居の溝段差は、高齢者にとってつまずきの原因となったり、車イスでの移動の障害となっていた。
【発明が解決しようとする手段】
【０００４】  本発明は、ふすま戸あるいは障子戸の側に収納されたバリアフリー・ベルトを出し入れすることにより、敷居の溝による段差を埋め、上記課題を解決する。
【発明の効果】
【０００５】  敷居溝の段差がなくなることにより、高齢者のつまずきが少なくなるとともに車イスでの横断においてもがたつきが解消される。
【発明を実施するための最良の形態・実施例】
【０００６】  本発明のバリアフリー・ベルトは、ふすま戸あるいは障子戸が閉められている時は、ふすま戸あるいは障子戸の桟に収納され、ふすま戸あるいは障子戸を開け開かれるに合わせて、開かれた部分だけバリアフリー・ベルトが敷居の溝に沿って現れるようになっている。
【図面の簡単な説明】
【図１】  部分立断面図
【図２】  開放時立断面図
【図３】  遮蔽時率断面図
【図４】  滑車関連図
【図５】  概観立面図
【符号の説明】
１  敷居
２  溝
３  戸
４  戸の桟
５  ベルトＡ
６  ベルトＢ
７  滑車Ａ
８  滑車Ｂ
９  滑車Ｃ
１０  バリアフリー・ベルト
１１  カバー
１２  バリアフリー・ベルト・ストッパーＡ
１３  バリアフリー・ベルト・ストッパーＢ
１４  滑車Ｄ
１５  隙間埋め
１６  取っ手
【図１】
2005194855.tif 000003
【図２】
2005194855.tif 000004
【図３】
2005194855.tif 000005
【図４】
2005194855.tif 000006
【図５】
2005194855.tif 000007
(57)【要約】【課題】複数のカラーコーンをロープにて連結する作業を容易にする。【解決手段】カラーコーン上頂点より切り込み部を設け、その内側面を凹凸状にして、下方にいくに従い両側の間隔を狭める構造にする。この構造により上方より押し込まれたロープは容易にカラーコーンに固定される。【選択図】  図１
2005194853.tif 000002
【特許請求の範囲】
【請求項１】
上頂点部よりＵ字形またはＶ形の切り込み部を設け、切り込み部内両側面に凹凸を設け、両側の凹凸部の間隔を下方にいくに従い、狭小としたことを特徴とするカラーコーン。
【請求項２】
凹凸部を切り込み部内側面の中央位置に縦列状に設けた「請求項１」のカラーコーン。
【発明の詳細な説明】
【技術分野】
【０００１】  本発明は、複数のカラーコーンをロープにて連結する作業を容易に実施出来るようにしたカラーコーンの形態に関するものである。
【背景技術】
【０００２】  複数のカラーコーンを連結する際、上頂点部が円錐形の場合、ロープを掛けても脱落し易く不安定であった。その対策として環状部を設けたり穴をあけロープを通すものがあるが一個一個ロープを穴に通す作業は煩わしく、収納時ロープを抜くにも手間がかかるものであった。
【発明の開示】
【発明が解決しようとする課題】
【０００３】  解決しようとする課題は、複数のカラーコーンをロープで連結する際、不安定であったり、作業が煩わしい点である。
【課題を解決しようとする課題】
【０００４】  本発明は、ロープが容易にカラーコーンに固定されることを特徴とする。
【発明の効果】
【０００５】  本発明のカラーコーンは、上頂点部の切り込み部２にロープを入れ下方に押し込むだけの簡単な作業だけで、ロープは上下方向および横方向の移動が阻止され固定する。
また、収納時はロープを上方に強く引き上げることによって容易に取り外しが出来るという利点がある。
【発明を実施するための最良の形態】
【０００６】  本発明は保管や運搬面において従来のカラーコーンと同様な取扱いが出来る外郭を保ちながら、ロープを容易にカラーコーン固定出来ることを実現した。
【実施例１】
【０００７】  図面は本発明の１実施例図である。【０００８】  切り込み部２の両内側面に凹凸部Ａと凹凸部Ｂを設け、その凹凸部Ａと凹凸部Ｂの間隔は下方にいくにしたがい狭小になっている。【０００９】  使用に際しては、ロープを切り込み部２に入れて下方に押し込むと、ロープは柔軟性によって、径が狭められながら可能な限り下方まで押し込まれ固定する。この状態でロープは上下左右に容易にずれない状態となる。
また、凹凸部ＡおよびＢの間隔が下方にいくに従い狭小になっていることによりロープ径大小のいずれの種類にも使用出来る利点も有している。
なお、凹凸部を切り込み部の内側面の中央に縦列に設けたことによって、ロープ６の両側を持って下方に押し入れる際、力が凸部５に集中するため、比較的に弱い力でロープ６を固定点まで挿入出来る利点を生じる。
【産業上の利用可能性】
【００１０】  歩行者誘導、車止め、工事現場の管理等のロープ張りに役立ち、その設置作業を容易にする。また、風や転倒によってカラーコーンがバラバラに散っている状態はしばしば見受けられることであるが、その防止にも役立つものである。
【図面の簡単な説明】
【００１１】
【図１】  本発明カラーコーンの正面図
【図２】  本発明カラーコーンの側面図
【図３】  本発明カラーコーンの平面図
【図４】  本発明の使用状態を示す切り込み部分図
【符号の説明】
【００１２】      １  カラーコーン本体
２  切り込み部
３  凹凸部Ａ
４  凹凸部Ｂ
５  凸部
６  ロープ
【図１】
2005194853.tif 000003
【図２】
2005194853.tif 000004
【図３】
2005194853.tif 000005
【図４】
2005194853.tif 000006
【手続補正書】
【提出日】平成16年2月23日(2004.2.23)
【手続補正１】
【補正対象書類名】明細書
【補正対象項目名】図面の簡単な説明
【補正方法】追加
【補正の内容】
【図５】  「請求項１」の他の実施例斜視図
【手続補正２】
【補正対象書類名】図面
【補正対象項目名】図５
【補正方法】追加
【補正の内容】
【図５】
2005194853.tif 000007
(57)【要約】［課題］  地球引力を利用して電気を創出する。［解決手段］  円盤体（１）の側面周辺に固定した基軸（４）の先端部で支軸（８）を介在、重り体（３）と蝶番式に連結、これに板バネ（５）を付設し屈曲自在とし、これら多数個を円盤体周辺に等間隔に配置し、円盤体の回転により右側重り体は支軸（７）によりその動きが規制され周縁から外方に突出し引力を直截に受けて下方に動こうとし、左側重り体は支軸（６）により動きが規制され周縁にもたれかかり引力は分散減殺され、さらに上辺にて板バネの助力で反転浮上し周縁外に倒れ回転を促し、ここにおいて左右重り体の引力均衡はくずれ円盤体は継続自転する。【選択図】図１
2005194898.tif 000002
【特許請求の範囲】
【請求項１】
円盤体（１）の周辺部（２）に基軸（４）を多数個等間隔に取付け固定し、その先端は支軸（８）により重り体（３）と蝶番式に連結し屈曲自在とする。この連結体には板バネ（５）付設し、円盤体の回転により重り体（３）は右側においては支軸（７）により、左側においては支軸（６）によりそれぞれ動きが規制される装置を円盤体両面に双備してなる回転動力機
【発明の詳細な説明】
［技術分野］
【０００１】  本発明は、発電エネルギー源を地球の引力を利用して創出しようとするものである。
［背景技術］
【０００２】  従来の発電は、水力・火力・原子力を主力としてきたが近年ではその環境に及ぼす悪影響から、クリーンエネルギー源として風力・太陽光・地熱等が見直されつつある。
［発明の開示］
［発明が解決しようとする課題］
【０００３】  上述のような観点から本発明は、地球の引力をエネルギー源として利用することによって最もクリーンにして低コストの発電を得ようとするものである。
［課題を解決するための手段］
【０００４】  本発明は円盤体（１）を回転させるために、重り体（３）を円盤体周辺に多数個を等間隔に配置し、円盤体の回転によって重り体の位置・姿勢が変化し、よって左右重り体の引力均衡をくずし、円盤体の継続自転を計るものである。
［発明の効果］
【０００５】  風力・太陽光発電等と同じくクリーン発電エネルギー源として、その原資はいつでも・どこでも無料・無限の地球引力を利用することにより、設備費・維持費にも多くを要しない有益発明を提供する。
［発明を実施するための最良の形態］
【０００６】  円盤体（１）の側面周辺部に固定した基軸（４）の先端部で支軸（８）を介在、重り体（３）と蝶番式に連結、これに板バネ（５）を付設し屈曲自在とし、これらを多数個を円盤体周辺部に等間隔に設ける。
【０００７】  円盤体の回転により右側重り体は支軸（７）によりその動きが規制され周縁から外方に突出した重り体は引力を直截に受けて下方に動こうとし、左側重り体は支軸（６）により動きが規制され周縁にもたれかかり引力は分散減殺され、さらに上辺にて板バネの助力で反転浮上し周縁外に倒れ回転を促し、ここにおいて左右引力の均衡はくずれ円盤体は継続自転する
［産業上の利用可能性］
【０００８】  大気汚染等の浄化に期待が寄せられる風力・太陽光発電等に伍してその一翼をと願いを込めるものである。即ち本発明は、天秤の平衡に見る如く、片方の引力に加力又は減殺を行なえば片方が動き出す原理に基ずくもので自然現象の活用であり、いつでも、どこでも無料・無限の地球引力を利用し、産業上有益なクリーンエネルギーを創出する。
【０００９】  本発明は、単体ではその力を充分に発揮することはできない。期待される強力回転力を高めるには、本回転機多数個を軸心（９）に連結し、又はこれを大形化・重量化あるいは磁石の吸引・反発の磁性を利用するなど、間断なき引力利用によって剰余電気をバッテリー蓄積し、究極としてはその電気を本回転機に用いることにより引力を援用し自給自足の態勢をつくりあげる。
【図面の簡単な説明】
【００１０】
【図１】本発明の概略側面図
【図２】本発明の重り体の浮上変化図
【符号の説明】
【００１１】  １．円盤体
２．周辺部
３．重り体
４．基軸
５．板バネ
６．支軸
７．支軸
８  支軸
９  心軸
【図１】
2005194898.tif 000003
【図２】
2005194898.tif 000004